(57)【要約】【課題】いずれかの指と隣り合う指とを連動させることにより、指の把持力が効果的に発揮される手袋を提供する。【解決手段】手袋１は、ベルト部材１４と、ベルト部材１４により屈曲方向に押圧される第１指部１１１と、第１指部１１１と互いに隣り合うように配置された第２指部１１２とを備えている。ベルト部材１４は、第１指部１１１と第２指部１１２とを接続しており、かつ第１指部の背１１Ｘに配置されている。【選択図】図４
2018168496.tif 000002
【特許請求の範囲】
【請求項１】
ベルト部材と、
前記ベルト部材により屈曲方向に押圧される第１指部と、
前記第１指部と互いに隣り合うように配置された第２指部とを備え、
前記ベルト部材は、前記第１指部と前記第２指部とを接続しており、かつ前記第１指部の背に配置されている、手袋。
【請求項２】
前記ベルト部材によって前記第１指部の背が押されることで、前記第１指部の背は、前記第２指部の背よりも掌側に位置している、請求項１に記載の手袋。
【請求項３】
前記ベルト部材は、前記第２指部の腹に配置されるように構成されている、請求項１または２に記載の手袋。
【請求項４】
前記ベルト部材は、前記第１指部と対向する前記第２指部の側部に配置されるように構成されている、請求項１または２に記載の手袋。
【請求項５】
前記ベルト部材は、前記第２指部の背に配置されるように構成されている、請求項１または２に記載の手袋。
【請求項６】
前記ベルト部材は、前記第１指部の背に配置された第１ベルト部と、前記第１指部の腹と前記第２指部の腹とを繋ぐ第２ベルト部とを含む、請求項１または２に記載の手袋。
【請求項７】
前記ベルト部材は、長さ方向の中央から一方端および他方端のそれぞれに向けて幅方向に分岐するように構成されている、請求項１〜６のいずれか１項に記載の手袋。
【請求項８】
前記ベルト部材は、弾性部材により構成されている、請求項１〜７のいずれか１項に記載の手袋。
【請求項９】
前記ベルト部材は、伸縮部材により構成されている、請求項１〜７のいずれか１項に記載の手袋。
【請求項１０】
前記第２指部は、前記第１指部の両側に１つずつ配置されている、請求項１〜９のいずれか１項に記載の手袋。
【発明の詳細な説明】
【技術分野】
【０００１】
本発明は、手袋に関するものである。
【背景技術】
【０００２】
従来、たとえば野球、ゴルフなどのスポーツでは、打撃具を主に小指、薬指および中指で把持することが良いとされている。
【０００３】
小指、薬指および中指では、それぞれの指が独立して打撃具のグリップを把持するときの把持力よりも、いずれかの指と隣り合う指とを連動させて打撃具を把持するときの把持力が大きくなることが知られている。
【０００４】
また、野球、ゴルフなどのスポーツでの打撃時に用いられる手袋が提案されている。たとえば、特開２００６−３４６４３７号公報（特許文献１）には、スポーツに好適の手袋が記載されている。この公報に記載されたスポーツ手袋はフィット性を向上できる。
【先行技術文献】
【特許文献】
【０００５】
【特許文献１】特開２００６−３４６４３７号公報
【発明の概要】
【発明が解決しようとする課題】
【０００６】
上記公報に記載された手袋においては、いずれかの指と隣り合う指とを連動させることは想定されていない。
【０００７】
本発明は上記課題に鑑みてなされたものであり、その目的は、いずれかの指と隣り合う指とを連動させることにより、指の把持力が効果的に発揮される手袋を提供することである。
【課題を解決するための手段】
【０００８】
本発明の手袋は、ベルト部材と、ベルト部材により屈曲方向に押圧される第１指部と、第１指部と互いに隣り合うように配置された第２指部とを備えている。ベルト部材は、第１指部と第２指部とを接続しており、かつ第１指部の背に配置されている。
【０００９】
本発明の手袋によれば、ベルト部材が第１指部と第２指部とを接続するため、第１指部および第２指部に装着されたそれぞれの指を連動させることができる。したがって、第１指部および第２指部のそれぞれの把持力が効果的に発揮される。
【００１０】
上記の手袋において好ましくは、ベルト部材によって第１指部の背が押されることで、第１指部の背は、第２指部の背よりも掌側に位置している。このため、装着者がたとえば野球用バットのグリップを把持したときに、第２指部の把持力がベルト部材を介して第１指部に作用する。これにより、第１指部がグリップに押し付けられるため、第１指部の把持力が補強される。したがって、第１指部および第２指部のそれぞれの把持力が効果的に発揮される。
【００１１】
上記の手袋において好ましくは、ベルト部材は、第２指部の腹に配置されるように構成されている。このため、第２指部の腹に配置されたベルト部材によって第１指部の背を押すことができる。
【００１２】
上記の手袋において好ましくは、ベルト部材は、第１指部と対向する第２指部の側部に配置されるように構成されている。このため、第２指部の側部に配置されたベルト部材によって第１指部の背を押すことができる。
【００１３】
上記の手袋において好ましくは、ベルト部材は、第２指部の背に配置されるように構成されている。このため、第２指部の背に配置されたベルト部材によって第１指部の背を押すことができる。
【００１４】
上記の手袋において好ましくは、ベルト部材は、第１指部の背に配置された第１ベルト部と、第１指部の腹と第２指部の腹とを繋ぐ第２ベルト部とを含んでいる。このため、第１指部および第２指部に装着されたそれぞれの指をより連動させることができる。
【００１５】
上記の手袋において好ましくは、ベルト部材は、長さ方向の中央から一方端および他方端のそれぞれに向けて幅方向に分岐するように構成されている。このため、第２指部の把持力を分岐したベルト部材を介して第１指部に作用させることができる。
【００１６】
上記の手袋において好ましくは、ベルト部材は、弾性部材により構成されている。このため、ベルト部材の弾性力によって第１指部をグリップに押し付けることができる。
【００１７】
上記の手袋において好ましくは、ベルト部材は、伸縮部材により構成されている。このため、ベルト部材が伸縮することによって第１指部をグリップに押し付けることができる。
【００１８】
上記の手袋において好ましくは、第２指部は、第１指部の両側に１つずつ配置されている。このため、第１指部の両側に配置された第２指部のぞれぞれの把持力がベルト部材を介して第１指部の両側から第１指部に作用する。これにより、第１指部の把持力がさらに強化される。したがって、第１指部および第２指部のそれぞれの把持力がさらに効果的に発揮される。
【発明の効果】
【００１９】
以上説明したように、本発明によれば、いずれかの指と隣り合う指とを連動させることにより、指の把持力が効果的に発揮される手袋を提供することができる。
【図面の簡単な説明】
【００２０】
【図１】本発明の一実施の形態における手袋を装着した装着者が打撃具のグリップを把持した状態を概略的に示す正面図である。
【図２】本発明の一実施の形態における手袋を手の甲側から見た状態を概略的に示す図である。
【図３】本発明の一実施の形態における手袋を手掌側から見た状態を概略的に示す図である。
【図４】図２のＩＶ−ＩＶ線に沿う端面図である。
【図５】本発明の一実施の形態における手袋の中指部、薬指部、小指部からベルト部材が分離された状態を概略的に示す分解斜視図である。
【図６】本発明の一実施の形態における手袋の中指部、薬指部、小指部にベルト部材が取り付けられた状態を概略的に示す斜視図である。
【図７】本発明の一実施の形態の変形例１における手袋の端面図である。
【図８】本発明の一実施の形態の変形例２における手袋の端面図である。
【図９】本発明の一実施の形態の変形例３における手袋の端面図である。
【図１０】本発明の一実施の形態の変形例４における手袋の端面図である。
【図１１】本発明の一実施の形態の変形例５における手袋の端面図である。
【図１２】本発明の一実施の形態の変形例６における手袋の端面図である。
【図１３】本発明の一実施の形態の変形例７における手袋の中指部、薬指部、小指部からベルト部材が分離された状態を概略的に示す分解斜視図である。
【図１４】本発明の一実施の形態の変形例７における手袋の中指部、薬指部、小指部にベルト部材が取り付けられた状態を概略的に示す斜視図である。
【図１５】本発明の一実施の形態の変形例８における手袋の中指部、薬指部、小指部からベルト部材が分離された状態を概略的に示す分解斜視図である。
【図１６】本発明の一実施の形態の変形例８における手袋の中指部、薬指部、小指部にベルト部材が取り付けられた状態を概略的に示す斜視図である。
【図１７】本発明の一実施の形態の変形例９における手袋を手の甲側から見た状態を概略的に示す図である。
【図１８】本発明の一実施の形態の変形例９における手袋を手掌側から見た状態を概略的に示す図である。
【図１９】実施例の打撃具を概略的に示す正面図である。
【図２０】実施例におけるサポート部材のベルト部材を被験者が指にかけて実験用バットのグリップを握った様子を概略的に示す斜視図である。
【図２１】実施例のスイング速度の代表値とスイング条件とを示すグラフである。
【発明を実施するための形態】
【００２１】
以下、図面に基づいて本発明の実施の形態を説明する。なお、特に言及しない限り、以下の図面において同一または対応する部分には同一の参照符号を付し、その説明を繰り返さない。
【００２２】
図１〜図６を参照して、本発明の一実施の形態における手袋１の構成について説明する。
【００２３】
図１に示されるように、本実施の形態における手袋１として野球用手袋が例示されており、打撃具２として野球用バットが例示されている。この野球用手袋はソフトボール用手袋を含んでいる。なお、手袋１は野球用手袋に限定されず、ゴルフ用手袋などのスポーツ用手袋であってもよい。また、この手袋１は右打者用の手袋である。なお、本実施の形態における手袋１は右打者用の手袋に限定されず、左打者用の手袋であってもよい。
【００２４】
手袋１は、装着者の一方の手を受け入れ可能に構成されている。この一方の手は、グリップの根元側に位置する。打撃具２としての野球用バットの根元側にグリップ２１が配置されている。
【００２５】
図２〜図４に示されるように、手袋１は、親指部１１Ａと、人差し指部１１Ｂと、中指部１１Ｃと、薬指部１１Ｄと、小指部１１Ｅと、手甲部１２と、手掌部１３と、ベルト部材１４と、取付部材１５とを備えている。
【００２６】
親指部１１Ａ、人差し指部１１Ｂ、中指部１１Ｃ、薬指部１１Ｄおよび小指部１１Ｅは、装着者の親指、人差し指、中指、薬指および小指をそれぞれ受け入れ可能に構成されている。親指部１１Ａ、人差し指部１１Ｂ、中指部１１Ｃ、薬指部１１Ｄおよび小指部１１Ｅは、装着者の親指、人差し指、中指、薬指および小指のそれぞれの全体を収容するように構成されている。親指部１１Ａ、人差し指部１１Ｂ、中指部１１Ｃ、薬指部１１Ｄおよび小指部１１Ｅは互いに独立している。手甲部１２は、装着者の手の甲を受け入れ可能に構成されている。手掌部１３は、装着者の手掌を受け入れ可能に構成されている。
【００２７】
本実施の形態では、薬指部１１Ｄが特許請求の範囲の第１指部１１１に相当し、中指部１１Ｃおよび小指部１１Ｅが特許請求の範囲の第２指部１１２に相当する。薬指部１１Ｄと、中指部１１Ｃおよび小指部１１Ｅはそれぞれ薬指部１１Ｄと互いに隣り合うように配置されている。本実施の形態では、第２指部１１２は、第１指部１１１の両側に１つずつ配置されている。
【００２８】
ベルト部材１４は、薬指部１１Ｄと中指部１１Ｃおよび小指部１１Ｅとをそれぞれ接続するように構成されている。ベルト部材１４は帯状に構成されている。たとえばベルト部材１４の幅は一定とすることができる。ベルト部材１４は、薬指部１１Ｄの背１１Ｘに配置されている。具体的には、ベルト部材１４は、摺動可能に取付部材１５に挿通されている。これにより、ベルト部材１４は、薬指部１１Ｄの背１１Ｘに摺動可能に配置されている。ベルト部材１４は、薬指部１１Ｄの腹１１Ｙに配置されていない。つまり、ベルト部材１４は、薬指部１１Ｄの腹１１Ｙに配置されずに薬指部１１Ｄの背１１Ｘに配置されている。したがって、薬指部１１Ｄの腹１１Ｙと図１に示されるグリップ２１との間にはベルト部材１４は配置されていない。したがって、薬指部１１Ｄがグリップ２１に押し付けられる力が薬指部１１Ｄとグリップ２１との間でベルト部材１４によって妨げられない。
【００２９】
図２および図４に示されるように、具体的には、薬指部１１Ｄの背１１Ｘに取り付けられた取付部材１５により、ベルト部材１４は、薬指部１１Ｄの背１１Ｘに配置されている。さらに詳細には、取付部材１５は各指の延在方向の両端で薬指部１１Ｄの背１１Ｘに取り付けられている。ベルト部材１４は、薬指部１１Ｄの背１１Ｘと取付部材１５の薬指の延在方向の中央との間の隙間に挿入されている。薬指部１１Ｄに取り付けられた取付部材１５は、薬指部１１Ｄにおいて薬指の手掌側の根元と第１関節との間に相当する位置に配置されている。
【００３０】
図３および図４に示されるように、ベルト部材１４は、中指部１１Ｃおよび小指部１１Ｅのそれぞれの腹１１Ｙに配置されるように構成されている。具体的には、中指部１１Ｃおよび小指部１１Ｅのそれぞれの腹１１Ｙに取り付けられた各取付部材１５により、ベルト部材１４は、中指部１１Ｃの腹１１Ｙに配置されている。さらに詳細には、各取付部材１５は、中指および小指のそれぞれの延在方向の両端で中指部１１Ｃおよび小指部１１Ｅのそれぞれの腹１１Ｙに取り付けられている。ベルト部材１４は、中指部１１Ｃおよび小指部１１Ｅのそれぞれの腹１１Ｙと各取付部材１５の中指および小指のそれぞれの延在方向の中央との間の隙間に挿入されている。
【００３１】
中指部１１Ｃおよび小指部１１Ｅにそれぞれ取り付けられた各取付部材１５は、中指部１１Ｃおよび小指部１１Ｅのそれぞれにおいて、中指および小指のそれぞれの手掌側の根元と第１関節との間に相当する位置に配置されている。したがって、ベルト部材１４は、薬指部１１Ｄ、中指部１１Ｃおよび小指部１１Ｅのそれぞれの手掌側の根元と第１関節との間に相当する位置に跨って配置されている。
【００３２】
図４に示されるように、ベルト部材１４は中指部１１Ｃの腹１１Ｙから薬指部１１Ｄの背１１Ｘを通って小指部１１Ｅの腹１１Ｙに至るように配置されている。手袋１が装着者の手に装着されていない状態において、手袋１を指先側から見たときに、薬指部１１Ｄは中指部１１Ｃおよび小指部１１Ｅよりも手掌側に位置している。ベルト部材１４によって薬指部１１Ｄの背１１Ｘが押されることで、薬指部１１Ｄの背１１Ｘは、薬指部１１Ｄの背１１Ｘから薬指部１１Ｄの腹１１Ｙに向かって、中指部１１Ｃおよび小指部１１Ｅの背１１Ｘよりも薬指部１１Ｄの腹１１Ｙ側に配置されている。
【００３３】
ベルト部材１４は、たとえば弾性部材により構成されている。ベルト部材１４は、たとえば伸縮部材により構成されている。具体的には、ベルト部材１４の材料として、たとえば、ゴム、シリコン、発泡体（ＥＶＡ（Ethylene-Vinyl  Acetate：エチレン−酢酸ビニル共重合樹脂）またはウレタンなど）、革（合成皮革または天然皮革）、プラスチック、伸縮性素材（ニットまたはメッシュなど）の少なくともいずれかが好適に用いられる。また、ベルト部材１４の材料として、たとえば、金属、木、紙およびガラスの少なくともいずれを用いることも可能である。
【００３４】
図５および図６に示されるように、ベルト部材１４は、中指部１１Ｃ、薬指部１１Ｄおよび小指部１１Ｅの順に各取付部材１５に挿通される。ベルト部材１４は、中指部１１Ｃの腹１１Ｙから中指部１１Ｃと薬指部１１Ｄとの間を通って薬指部１１Ｄの背１１Ｘに至り、薬指部１１Ｄの背から薬指部１１Ｄと小指部１１Ｅとの間を通って小指部１１Ｅの腹１１Ｙに至るように配置される。
【００３５】
上記では、薬指部１１Ｄが中指部１１Ｃおよび小指部１１Ｅの両方に接続されている場合について説明した。しかしながら、薬指部１１Ｄは中指部１１Ｃおよび小指部１１Ｅの少なくともいずれかの指に接続されていればよい。
【００３６】
上記では、薬指部１１Ｄが第１指部１１１に相当し、中指部１１Ｃおよび小指部１１Ｅが第２指部１１２に相当する場合について説明した。しかしながら、薬指部１１Ｄ、中指部１１Ｃおよび小指部１１Ｅの少なくともいずれかの指が第１指部１１１に相当し、その他のいずれかの指が第２指部１１２に相当すればよい。
【００３７】
上記では、ベルト部材１４は、薬指部１１Ｄ、中指部１１Ｃおよび小指部１１Ｅのそれぞれにおいて、薬指、中指および小指のそれぞれの手掌側の根元と第１関節との間に相当する位置に配置されている場合について説明した。しかしながら、ベルト部材１４は、各指の第１関節と第２関節の間に相当する位置に配置されていてもよい。
【００３８】
上記では、親指部１１Ａ、人差し指部１１Ｂ、中指部１１Ｃ、薬指部１１Ｄおよび小指部１１Ｅが、装着者の親指、人差し指、中指、薬指および小指のそれぞれの全体を収容するように構成されている場合について説明した。しかしながら、親指部１１Ａ、人差し指部１１Ｂ、中指部１１Ｃ、薬指部１１Ｄおよび小指部１１Ｅは、装着者の親指、人差し指、中指、薬指および小指のそれぞれの少なくとも根元部を収容していればよい。
【００３９】
次に、本実施の形態における手袋１の作用効果について説明する。
小指、薬指および中指では、それぞれの指が独立して打撃具２のグリップ２１を把持するときの把持力よりも、図１に示されるように、いずれかの指と隣り合う指とを連動させて打撃具のグリップを把持するときの把持力が大きくなる。
【００４０】
図２〜４に示されるように、本実施の形態の手袋１によれば、ベルト部材１４が薬指部１１Ｄと中指部１１Ｃおよび小指部１１Ｅとをそれぞれ接続するため、第１指部および第２指部に装着されたそれぞれの指を連動させることができる。したがって、第１指部および第２指部のそれぞれの把持力が効果的に発揮される。また、打撃具２を把持していない状態で、各指を独立して動かすことができる。
【００４１】
また、ベルト部材１４によって薬指部１１Ｄの背１１Ｘが押されることで、薬指部１１Ｄの背１１Ｘは、中指部１１Ｃおよび小指部１１Ｅのそれぞれの背１１Ｘよりも掌側に位置している。このため、図１に示されるように、装着者が野球用バットのグリップ２１を把持したときに、中指部１１Ｃおよび小指部１１Ｅの把持力（中指部１１Ｃおよび小指部１１Ｅのそれぞれに挿入された中指および小指の把持力）がベルト部材１４を介して薬指部１１Ｄに作用する。これにより、薬指部１１Ｄがグリップ２１に押し付けられるため、薬指部１１Ｄの把持力（薬指部１１Ｄに装着された薬指の把持力）が補強される。したがって、薬指部１１Ｄならびに中指部１１Ｃおよび小指部１１Ｅのそれぞれの把持力が効果的に発揮される。この結果、装着者が無駄な力を使わずにグリップ２１を把持することで野球用バットをスイングしたときのスイング速度を向上させることができる。
【００４２】
本実施の形態の手袋１においては、ベルト部材１４は、中指部１１Ｃおよび小指部１１Ｅのそれぞれの腹１１Ｙに配置されるように構成されている。このため、中指部１１Ｃおよび小指部１１Ｅのそれぞれの腹１１Ｙに配置されたベルト部材１４によって薬指部１１Ｄの背１１Ｘを押すことができる。また、ベルト部材１４が中指部１１Ｃおよび小指部１１Ｅのそれぞれの腹１１Ｙとグリップ２１との間に配置されるため、ベルト部材１４が安定して配置される。
【００４３】
本実施の形態の手袋１においては、ベルト部材１４は、弾性部材により構成されている。このため、ベルト部材１４の弾性力によって薬指部１１Ｄをグリップ２１に押し付けることができる。
【００４４】
本実施の形態の手袋１においては、ベルト部材１４は、伸縮部材により構成されている。このため、ベルト部材１４が伸縮することによって薬指部１１Ｄをグリップ２１に押し付けることができる。
【００４５】
本実施の形態の手袋１においては、第１の指部である中指部１１Ｃおよび小指部１１Ｅは、第１指部である薬指部１１Ｄの両側に１つずつ配置されている。このため、中指部１１Ｃおよび小指部１１Ｅのそれぞれの把持力がベルト部材１４を介して薬指部１１Ｄの両側から薬指部１１Ｄに作用する。これにより、薬指部１１Ｄの把持力がさらに補強される。したがって、薬指部１１Ｄおよび中指部１１Ｃおよび小指部１１Ｅのそれぞれの把持力がさらに効果的に発揮される。
【００４６】
次に、本実施の形態の各変形例について説明する。なお、特に言及しない限り、各変形例の手袋１は上記の本実施の形態の手袋１と同様の構成を備えている。
【００４７】
図７を参照して、本実施の形態の変形例１における手袋１について説明する。図７に示されるように、本実施の形態の変形例１における手袋１では、図４に示される上記の本実施の形態の手袋１に比べて、ベルト部材１４が第２指部１１２としての中指部１１Ｃおよび小指部１１Ｅのそれぞれに取り付けられる位置が異なっている。
【００４８】
ベルト部材１４は、薬指部１１Ｄに対向する中指部１１Ｃおよび小指部１１Ｅのそれぞれの側部１１Ｚに配置されるように構成されている。中指部１１Ｃ、薬指部１１Ｄおよび小指部１１Ｅが並ぶ方向におけるベルト部材１４の両端部は、たとえば、中指部１１Ｃおよび小指部１１Ｅのそれぞれの側部１１Ｚに縫い付けられている。
【００４９】
本実施の形態の変形例１における手袋１によれば、ベルト部材１４は中指部１１Ｃおよび小指部１１Ｅのそれぞれの側部１１Ｚに配置されるように構成されている。このため、中指部１１Ｃおよび小指部１１Ｅのそれぞれの側部１１Ｚに配置されたベルト部材１４によって薬指部１１Ｄの背１１Ｘを押すことができる。また、ベルト部材１４が中指部１１Ｃおよび小指部１１Ｅのそれぞれの腹１１Ｙとグリップ２１との間に配置されないため、装着者がグリップ２１を把持したときに、ベルト部材１４が中指部１１Ｃおよび小指部１１Ｅのそれぞれの腹１１Ｙに接触することで生じる違和感を抑制することができる。
【００５０】
図８を参照して、本実施の形態の変形例２における手袋１について説明する。図８に示されるように、本実施の形態の変形例２における手袋１では、図４に示される上記の本実施の形態の手袋１に比べて、ベルト部材１４が第２指部１１２としての中指部１１Ｃおよび小指部１１Ｅのそれぞれに取り付けられる位置が異なっている。
【００５１】
ベルト部材１４は、中指部１１Ｃおよび小指部１１Ｅのそれぞれの背１１Ｘに配置されるように構成されている。中指部１１Ｃ、薬指部１１Ｄおよび小指部１１Ｅが並ぶ方向におけるベルト部材１４の両端部は、たとえば、中指部１１Ｃおよび小指部１１Ｅのそれぞれの背１１Ｘに縫い付けられている。
【００５２】
ベルト部材１４の材料としてはある程度の硬さがある材料が適している。ベルト部材１４の材料としては、たとえば、プラスチックの薄板を用いることが可能である。
【００５３】
本実施の形態の変形例２における手袋１によれば、ベルト部材１４は、中指部１１Ｃおよび小指部１１Ｅのそれぞれの背１１Ｘに配置されるように構成されている。このため、中指部１１Ｃおよび小指部１１Ｅのそれぞれの背１１Ｘに配置されたベルト部材１４によって薬指部１１Ｄの背１１Ｘを押すことができる。
【００５４】
図９を参照して、本実施の形態の変形例３における手袋１について説明する。図９に示されるように、本実施の形態の変形例３における手袋１では、図４に示される上記の本実施の形態の手袋１に比べて、ベルト部材１４の構成が異なっている。
【００５５】
ベルト部材１４は、中指部１１Ｃおよび小指部１１Ｅのそれぞれの周囲を一周するように構成されている。ベルト部材１４の両端部は、互いに接続されていてもよい。つまり、ベルト部材１４は環状に構成されていてもよい。これにより、ベルト部材１４が各指部から分離することを抑制することができる。
【００５６】
図１０を参照して、本実施の形態の変形例４における手袋１について説明する。図１０に示されるように、本実施の形態の変形例４における手袋１では、図４に示される上記の本実施の形態の手袋１に比べて、ベルト部材１４が第１指部１１１としての薬指部１１Ｄに取り付けられる位置が異なっている。
【００５７】
ベルト部材１４は、薬指部１１Ｄの中指部１１Ｃ側および小指部１１Ｅ側のそれぞれの側部１１Ｚに配置された取付部材１５に取り付けられている。
【００５８】
図１１を参照して、本実施の形態の変形例５における手袋１について説明する。図１１に示されるように、本実施の形態の変形例５における手袋１では、図４に示される上記の本実施の形態の手袋１に比べて、ベルト部材１４が第２指部１１２としての中指部１１Ｃおよび小指部１１Ｅに取り付けられる位置が異なっている。
【００５９】
ベルト部材１４は、中指部１１Ｃの薬指部１１Ｄ側の側部１１Ｚに配置された取付部材１５に取り付けられている。また、ベルト部材１４は、小指部１１Ｅの薬指部１１Ｄ側の側部１１Ｚに配置された取付部材１５に取り付けられている。
【００６０】
図１２を参照して、本実施の形態の変形例６における手袋１について説明する。図１２に示されるように、本実施の形態の変形例６における手袋１では、図４に示される上記の本実施の形態の手袋１と比べて、ベルト部材１４の構成が異なっており、かつベルト部材１４が第１指部１１１としての薬指部１１Ｄに取り付けられる位置が異なっている。
【００６１】
本実施の形態の変形例６における手袋１においては、ベルト部材１４は、第１ベルト部１４ａと、第２ベルト部１４ｂとを含んでいる。第１ベルト部１４ａは、第１指部１１１としての薬指部１１Ｄの背１１Ｘに配置されている。第２ベルト部１４ｂは、第１指部１１１としての薬指部１１Ｄの腹１１Ｙと、第２指部１１２としての中指部１１Ｃおよび小指部１１Ｅのそれぞれの腹１１Ｙとを繋いでいる。
【００６２】
本実施の形態の変形例６における手袋１によれば、ベルト部材１４は、薬指部１１Ｄの背１１Ｘに配置された第１ベルト部１４ａと、薬指部１１Ｄの腹１１Ｙと中指部１１Ｃおよび小指部１１Ｅのそれぞれの腹１１Ｙとを繋ぐ第２ベルト部１４ｂを含んでいる。このため、薬指部１１Ｄ、中指部１１Ｃおよび小指部１１Ｅをより連動させることができる。
【００６３】
図１３および図１４を参照して、本実施の形態の変形例７における手袋１について説明する。図１３および図１４に示されるように、本実施の形態の変形例７における手袋１では、図５および図６に示される上記の本実施の形態の手袋１に比べて、ベルト部材１４の構成が異なっている。
【００６４】
ベルト部材１４は、長さ方向Ｄ１の中央１４１から一方端１４２および他方端１４３のそれぞれに向けて幅方向Ｄ２に分岐するように構成されている。ベルト部材１４は、長さ方向Ｄ１の中央１４１から一方端１４２および他方端１４３のそれぞれに向けて、幅方向Ｄ２に分岐する部分同士の間隔が広くなるように構成されている。ベルト部材１４は長さ方向Ｄ１の中央１４１で交差するように構成されている。
【００６５】
ベルト部材１４は、長さ方向Ｄ１の中央１４１が薬指部１１Ｄの背１１Ｘに位置するように構成されている。ベルト部材１４の長さ方向Ｄ１の中央１４１は、薬指部１１Ｄの取付部材１５に取り付けられている。薬指部１１Ｄの取付部材１５の指の延在する方向の長さは、中指部１１Ｃおよび小指部１１Ｅの各取付部材１５の各指の延在する方向の長さよりも短い。
【００６６】
ベルト部材１４の中央１４１と一方端１４２との間の一方端側部分は、中指部１１Ｃの取付部材１５に取り付けられている。ベルト部材１４の一方端側部分の分岐した一方部分は、中指部１１Ｃの取付部材１５の先端側に取り付けられている。ベルト部材１４の一方側部分の分岐した他方部分は、中指部１１Ｃの取付部材１５の根元側に取り付けられている。
【００６７】
ベルト部材１４の中央１４１と他方端１４３との間の他方端側部分は、小指部１１Ｅの取付部材１５に取り付けられている。ベルト部材１４の他方端側部分の分岐した一方部分は、小指部１１Ｅの取付部材１５の先端側に取り付けられている。ベルト部材１４の他方端側部分の分岐した他方部分は、小指部１１Ｅの取付部材１５の根元側に取り付けられている。
【００６８】
本実施の形態の変形例７における手袋１によれば、ベルト部材１４は、長さ方向Ｄ１の中央１４１から一方端１４２および他方端１４３のそれぞれに向けて幅方向Ｄ２に分岐するように構成されている。このため、中指部１１Ｃおよび小指部１１Ｅの把持力を分岐したベルト部材１４を介して薬指部１１Ｄに作用させることができる。また、分岐したベルト部材１４によって薬指部１１Ｄの背を押すことができる。したがって、効率よく薬指部１１Ｄの背を押すことができる。
【００６９】
また、薬指部１１Ｄの取付部材１５の長さは中指部１１Ｃおよび小指部１１Ｅの各取付部材１５の長さよりも短いため、ベルト部材１４の中央１４１が取付部材１５に取り付けられた状態で取付部材１５の先端側と根元側との間を移動することが抑制される。これにより、ベルト部材１４の位置を安定させることができる。
【００７０】
図１５および図１６を参照して、本実施の形態の変形例８における手袋１について説明する。図１５および図１６に示されるように、本実施の形態の変形例８における手袋１では、図５および図６に示される上記の本実施の形態の手袋１に比べて、ベルト部材１４の構成が異なっている。
【００７１】
ベルト部材１４は、長さ方向Ｄ１の中央１４１に対して、中央１４１と一方端１４２との間の一方端側部分と、中央１４１と他方端１４３との間の他方端側部分とが非対称となるように構成されている。また、薬指部１１Ｄと中指部１１Ｃとを接続する一方端側部分の幅よりも、薬指部１１Ｄと小指部１１Ｅとを接続する他方側部分の幅が広い。これにより、薬指部１１Ｄに作用する小指部１１Ｅの把持力を、薬指部１１Ｄに作用する中指部１１Ｃの把持力よりも大きくすることができる。これにより、しっかりと把持することができる。
【００７２】
図１７および図１８を参照して、本実施の形態の変形例９における手袋１について説明する。図１７および図１８に示されるように、本実施の形態の変形例９における手袋１では、図２および図３に示される上記の本実施の形態の手袋１に比べて、ベルト部材１４の配置が異なっている。
【００７３】
ベルト部材１４は、薬指部１１Ｄおよび中指部１１Ｃのそれぞれ背１１Ｘに跨って配置されている。また、ベルト部材１４は、人差し指部１１Ｂおよび小指部１１Ｅのそれぞれの腹１１Ｙに配置されている。
【００７４】
本実施の形態の変形例９における手袋１では、薬指部１１Ｄおよび中指部１１Ｃが特許請求の範囲の第１指部１１１に相当し、人差し指部１１Ｂおよび小指部１１Ｅが特許請求の範囲の第２指部１１２に相当する。
【００７５】
本実施の形態の変形例９における手袋１によれば、装着者が野球用バットのグリップを把持したときに、人差し指部１１Ｂおよび小指部１１Ｅの把持力がベルト部材１４を介して薬指部１１Ｄおよび中指部１１Ｃに作用する。これにより、薬指部１１Ｄおよび中指部１１Ｃがグリップに押し付けられるため、薬指部１１Ｄおよび中指部１１Ｃの把持力が補強される。したがって、薬指部１１Ｄおよび中指部１１Ｃならびに人差し指部１１Ｂおよび小指部１１Ｅの把持力が効果的に発揮される。
【００７６】
なお、上記の本実施の形態および各変形例は適宜組み合わせることができる。
【実施例】
【００７７】
以下、本発明の実施例について説明する。本発明による手袋を構成するにあたり、以下の実験を実施した。
【００７８】
（実験１）
図１９および図２１を参照して、ベルト部材の効果を次の実験により評価した。
【００７９】
図１９に示される実験用バットが準備された。実験用バットでは、打撃具としての野球用バットのグリップにサポート部材が取り付けられている。サポート部材は固定部材とベルト部材とを有している。打野球用バットの長手方向に延在するベルト部材が固定部材によりグリップに固定されている。図２０に示されるように、上記の本実施の形態の手袋ではなく、サポート部材が取り付けられた実験用バットで実験した。
【００８０】
実験用バットの野球用バットは、木製ノックバットである。木製ノックバットの重さは５７０ｇである。木製ノックバットの全長は９１ｃｍである。ベルト部材は、互いに重ねられた２枚のＥＶＡのバンドにより構成されている。２枚のＥＶＡのバンドのそれぞれの厚さは２ｍｍである。２枚のＥＶＡのバンドのうち内側に配置されたバンドの幅は１５ｍｍであり、外側に配置されたバンドの幅は１０ｍｍである。２枚のＥＶＡのバンドのそれぞれの長さは２２ｃｍである。固定部材はビニールテープである。２枚のＥＶＡの長手方向の両端および真ん中にビニールテープが巻かれることにより、２枚のＥＶＡはグリップに取り付けられている。
【００８１】
実験用バットを用いて９人の被験者がスイングしたときのスイング速度（ｋｍ／ｈ）が計測された。各被験者は野球経験を有する一般成人男性である。スイングは被験者毎に６回ずつ行われた。各被験者の６回のスイング速度の平均値を各被験者のスイング速度の代表値とした。スイング速度は、バットスイング解析システムであるミズノスイングトレーサー（美津濃株式会社製）を用いて計測された。このシステムは、グリップエンドに取り付けられた加速度センサおよびジャイロセンサの値からスイング速度を計測する。
【００８２】
各被験者は、ベルト部材（構造体）を指にかける条件と、指にかけない条件の両方で、実験用バットを用いてスイングした。ベルト部材（構造体）を指にかける条件では、被験者はグリップエンド側の薬指をベルト部材（構造体）の下に挟み、その他の指をベルト部材（構造体）の上に置いてグリップを握った。ベルト部材（構造体）を指にかけない条件では、被験者は全ての指をベルト部材（構造体）の上においてグリップを握った。
【００８３】
図２１は実験結果を示している。図２１は各被験者のスイング速度の代表値とスイング条件（指にかける条件および指にかけない条件）とを示している。図２１に示されるように、全ての被験者において、指にかける条件でのスイング速度の代表値は、指にかけない条件でのスイング速度の代表値と同等またはそれ以上となった。これにより、ベルト部材（構造体）を指にかけることによりスイング速度が向上することがわかった。
【００８４】
（実験２）
表１を参照して、ベルト部材の効果を次の実験によりさらに評価した。
【００８５】
図１９に示される実験用バットと同様の構成を備えた野球用バットを準備された。この野球用バットのグリップにサポート部材が取り付けられている。この野球用バットは、軟式野球用金属バットである。この野球用バットの重さは５７０ｇである。この野球用バットの全長は８４ｃｍである。
【００８６】
上記実験１における９人の被験者のうち１人の被験者により、この野球用バットを用いてティー打撃時の手の圧力およびスイング速度が計測された。この被験者は１０年以上の野球経験を有する右打者である。スイングはベルト部材（構造体）を指にかける条件およびベルト部材（構造体）を指にかけない条件のそれぞれで４回ずつ行われた。
【００８７】
スイング中の手の圧力を計測するため、被験者はタクタイルセンサ（センサーシート４２５６Ｅ；ニッタ株式会社製）を貼り付けた野球打撃用手袋を装着してスイングを行った。スイング中にタクタイルセンサにより計測された手の圧力のデータは、データロガーシステム（Ｆ−スキャンデータロガーシステム；ニッタ株式会社製）で読み込まれた。
【００８８】
手の圧力として、被験者がベルト部材（構造体）を当てた部位である左手薬指の第２関節と第３関節との間の圧力および左手全体の圧力が計測された。これらの圧力として、野球用バットとボールとのインパクト前の圧力の最大値が計測された。
【００８９】
スイング速度は、上記実験１と同様にミズノスイングトレーサー（美津濃株式会社製）を用いて計測された。
【００９０】
【表１】
2018168496.tif 000003
【００９１】
表１は計測結果を示している。表１は手の圧力とスイング速度とを示している。上述の通り、手の圧力として、薬指つけ根の圧力と手全体の圧力とが計測された。手の圧力は、薬指のつけ根および手全体の圧力ともに、ベルト部材（構造体）を指にかけない条件で最も圧力が大きかった試行の圧力値を１としたときの相対値である。
【００９２】
ベルト部材（構造体）を指にかける条件では、ベルト部材（構造体）を指にかけない条件よりも、薬指つけ根の圧力は約１６％大きくなったものの、手全体の圧力は約１４％小さくなった。また、ベルト部材（構造体）を指にかける条件では、ベルト部材（構造体）を指にかけない条件よりも、スイング速度が約８％上昇した。これにより、薬指による把持力が補強され、かつ装着者が無駄な力を使わずにグリップを握ることでスイング速度が向上することがわかった。
【００９３】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることを意図される。
【符号の説明】
【００９４】
１  手袋、２  打撃具、１１Ａ  親指部、１１Ｂ  人差し指部、１１Ｃ  中指部、１１Ｄ  薬指部、１１Ｅ  小指部、１１Ｘ  背、１１Ｙ  腹、１１Ｚ  側部、１２  手甲部、１３  手掌部、１４  ベルト部材、１４ａ  第１ベルト部、１４ｂ  第２ベルト部、１５  取付部材、２１  グリップ、１１１  第１指部、１１２  第２指部、１４１  中央、１４２  一方端、１４３  他方端、Ｄ１  長さ方向、Ｄ２  幅方向。
【図１】
2018168496.tif 000004
【図２】
2018168496.tif 000005
【図３】
2018168496.tif 000006
【図４】
2018168496.tif 000007
【図５】
2018168496.tif 000008
【図６】
2018168496.tif 000009
【図７】
2018168496.tif 000010
【図８】
2018168496.tif 000011
【図９】
2018168496.tif 000012
【図１０】
2018168496.tif 000013
【図１１】
2018168496.tif 000014
【図１２】
2018168496.tif 000015
【図１３】
2018168496.tif 000016
【図１４】
2018168496.tif 000017
【図１５】
2018168496.tif 000018
【図１６】
2018168496.tif 000019
【図１７】
2018168496.tif 000020
【図１８】
2018168496.tif 000021
【図１９】
2018168496.tif 000022
【図２０】
2018168496.tif 000023
【図２１】
2018168496.tif 000024